(57)【要約】【課題】表示物を作成するための型等が不要であり、多品種、少量生産にも低コストで対応することができ、特に蓄光塗料を用いても昼夜を問わず繊細な表示を行うことができる蓄光塗料を用いた表示用プレートの提供を課題とする。【解決手段】透明板１１を用い、該透明板１１の裏表面１１ｂに蓄光塗料１２を塗装すると共に前記透明板１１の表表面１１ａには文字、図形、記号等の表示物１３を余白なしの状態で貼り付けるか、印刷するか、描くかする構成とすることで、周囲が明るいときには前記表示物１３を直接視認させる構成とすると共に周囲が暗いときには前記表示物１３を前記蓄光塗料１２による光放出面の黒抜表示として認識させる構成とした蓄光塗料を用いた表示用プレート１０である。【選択図】      図１
0003190607.tif 000002
【実用新案登録請求の範囲】
【請求項１】
透明板を用い、該透明板の裏表面に蓄光塗料を塗装すると共に前記透明板の表表面には文字、図形、記号等の表示物を余白なしの状態で貼り付けるか、印刷するか、描くかする構成とすることで、周囲が明るいときには前記表示物を直接視認させる構成とすると共に周囲が暗いときには前記表示物を前記蓄光塗料による光放出面の黒抜表示として認識させる構成としたことを特徴とする蓄光塗料を用いた表示用プレート。
【請求項２】
請求項１に記載の表示用プレートにおいて、文字、図形、記号等の表示物は、透明板の表表面に施す代りに、透明板の裏表面に、蓄光塗料による塗装に先立って、貼り付けるか、印刷するか、描くかする構成としたことを特徴とする蓄光塗料を用いた表示用プレート。
【請求項３】
請求項１に記載の表示用プレートにおいて、文字、図形、記号等の表示物はこれを施すことなく、代りに前記表示物を施すための表示スペースを透明板の表表面に設ける構成としたことを特徴とする蓄光塗料を用いた表示用プレート。
【請求項４】
請求項１〜３の何れかに記載の表示用プレートにおいて、蓄光塗料は蓄光材料に光透過性の副資材を混ぜてなる透過性の蓄光塗料であることを特徴とする蓄光塗料を用いた表示用プレート。
【請求項５】
請求項４に記載の表示用プレートにおいて、透明板の裏表面に施される蓄光塗料の背面を、遮光性の塗料で塗装する構成としたことを特徴とする蓄光塗料を用いた表示用プレート。
【考案の詳細な説明】
【技術分野】
【０００１】
本考案は蓄光塗料を用いた表示用プレートに関する。
【背景技術】
【０００２】
蓄光材料を用いた製品は種々提供されている。その代表的なものは、蓄光材料で文字、記号、図形等を書き、夜間においてはその文字、記号、図形等が光って浮かび上がるようにした表示物である。
蓄光塗料を用いる場合は、該蓄光塗料そのものを用いて、これを印刷や描写することが考えられるが、この方法では繊細な表示が提供できないという問題が従来からある。
また蓄光塗料を下地として塗装し、その上に文字、記号、図形等の表示を施すことも考えられるが、塗られた蓄光塗料の表面は必ずしも十分に平滑ではないので、その上に施される文字、記号、図形等の表示が綺麗に仕上がらないという問題がある。
一方、プレート上に文字、記号、図形等の表示を施す場合、裏面に接着剤を施した紙等を用いて、これに印刷等を施し、プレート上に糊付けする方法が、簡易な方法である。しかし蓄光塗料がプレート上に塗られていると、糊付けがし難く、剥がれ易いという問題がある。
特開２００１−５１６３２号公報（特許文献１）には蓄光材を用いた避難誘導標識が開示されている。
特開２００７−３２２５８５号公報（特許文献２）には、蓄光材を用いた誘導シールが開示されている。
【先行技術文献】
【特許文献】
【０００３】
【特許文献１】特開２００１−５１６３２号公報
【特許文献２】特開２００７−３２２５８５号公報
【考案の概要】
【考案が解決しようとする課題】
【０００４】
上記特許文献１の避難誘導標識には、蓄光材を含有させた透明樹脂を成型してなるサインプレート１を不透明着色樹脂プレート２に嵌め込む構成が開示されている。しかしサインプレート１を成型する型が必要となり、量産しない場合は、型製作のコストがかかる。従って、形や文字の異なるサインプレート１を多品種、少量生産するには適さない。
上記特許文献２の誘導シールには、透明シート０１０２の表面に蓄光性マーク０１０３を印刷し、その上から両面テープ０１０１を用いて全面を被覆する構成が開示されている。しかし蓄光性のインキで印刷する場合は、蓄光材の材質にも起因して、印刷が簡単ではないこと、及び印刷が繊細にはできないという問題がある。
【０００５】
そこで本考案は上記従来技術の問題を解消し、表示物を作成するための型等が不要であり、多品種、少量生産にも低コストで対応することができ、特に蓄光塗料を用いても昼夜を問わず繊細な表示を行うことができる蓄光塗料を用いた表示用プレートの提供を課題とする。
【課題を解決するための手段】
【０００６】
本考案の蓄光塗料を用いた表示用プレートは、透明板を用い、該透明板の裏表面に蓄光塗料を塗装すると共に前記透明板の表表面には文字、図形、記号等の表示物を余白なしの状態で貼り付けるか、印刷するか、描くかする構成とすることで、周囲が明るいときには前記表示物を直接視認させる構成とすると共に周囲が暗いときには前記表示物を前記蓄光塗料による光放出面の黒抜表示として認識させる構成としたことを第１の特徴としている。
また本考案の蓄光塗料を用いた表示用プレートは、上記第１の特徴において、文字、図形、記号等の表示物は、透明板の表表面に施す代りに、透明板の裏表面に、蓄光塗料による塗装に先立って、貼り付けるか、印刷するか、描くかする構成としたことを第２の特徴としている。
また本考案の蓄光塗料を用いた表示用プレートは、上記第１の特徴において、文字、図形、記号等の表示物はこれを施すことなく、代りに前記表示物を施すための表示スペースを透明板の表表面に設ける構成としたことを第３の特徴としている。
また本考案の蓄光塗料を用いた表示用プレートは、上記第１〜第３の何れかの特徴において、蓄光塗料は蓄光材料に光透過性の副資材を混ぜてなる透過性の蓄光塗料であることを第４の特徴としている。
また本考案の蓄光塗料を用いた表示用プレートは、上記第４の特徴に加えて、透明板の裏表面に施される蓄光塗料の背面を、遮光性の塗料で塗装する構成としたことを第５の特徴としている。
【考案の効果】
【０００７】
請求項１に記載の蓄光塗料を用いた表示用プレートによれば、蓄光塗料が透明板の裏表面に塗装されることで、表表面から差込む光を十分に吸収して蓄光することができる。文字、図形、記号等の表示物は透明板の表表面に施されるので、昼間等の表示用プレートの周囲が明るいときには、透明板の表表面側から表表面に施された表示物の表示を直接見ることができる。一方、夜間等の表示用プレートの周囲が暗いときには、透明板の裏表面から表表面に向けて光る蓄光塗料の光放出面に対する黒抜表示として、表示物による表示を見ることができる。
特に、表示物には余白なしの状態、即ち文字や図形や記号による表示そのものが、透明板の表表面に貼り付けられるか、印刷されるか、描かれるので、夜間の黒抜表示状態でも、昼間と同じ表示（色を除く）を行うことができる。
表示物は、蓄光塗料を含有させる必要がないので、紙に普通のインクで印刷したものを透明板の表面に貼り付けたり、普通のインクで透明板の表面に印刷したり、普通の塗料やその他の描画材で透明板の表面に描くことができ、繊細で精度のよい表示を簡単、容易に提供することができる。
勿論、表示物はざらざらした蓄光塗料の上に施すこともないので、簡単に剥がれる心配もない。
【０００８】
請求項２に記載の蓄光塗料を用いた表示用プレートによれば、文字、図形、記号等の表示物は、透明板の表表面に施す代りに、透明板の裏表面に、蓄光塗料による塗装に先立って、貼り付けるか、印刷するか、描くかする構成としたので、
表示物が透明板の表表面に施されることによる、傷付き、磨耗等による劣化を防止することができる。表示物の裏側が蓄光塗料で被覆されるので、表示物の剥がれや損傷を確実に防止することができる。
【０００９】
請求項３に記載の蓄光塗料を用いた表示用プレートによれば、文字、図形、記号等の表示物はこれを施すことなく、代りに前記表示物を施すためのスペースを透明板の表表面に設ける構成としたので、
利用者は自己が表示したい内容の表示物を、自由に透明板の表表面の表示スペースに貼り付け、印刷し、或いは描いて、利用に供することができる。
【００１０】
請求項４に記載の蓄光塗料を用いた表示用プレートによれば、蓄光塗料は蓄光材料に光透過性の副資材を混ぜてなる透過性の蓄光塗料であるので、
光が蓄光塗料の中の蓄光材料に届き易く、蓄光の効率が良い状態で夜間等の表示を行うことができる。
【００１１】
請求項５に記載の蓄光塗料を用いた表示用プレートによれば、透明板の裏表面に施される蓄光塗料の背面を、遮光性の塗料で塗装する構成としたので、
蓄光材料に光透過性の副資材を混ぜてなる透過性の蓄光塗料を用いても、該蓄光塗料の背面を含めた透明板の裏側を確実に遮光することができるので、表示がより鮮明になる。
【図面の簡単な説明】
【００１２】
【図１】本考案に係る第１実施形態の表示用プレートの斜視図である。
【図２】本考案に係る第１実施形態の表示用プレートの断面図である。
【図３】本考案に係る第１実施形態の表示用プレートの表示物を説明する図である。
【図４】本考案に係る第２実施形態の表示用プレートの斜視図である。
【図５】本考案に係る第２実施形態の表示用プレートの断面図である。
【図６】本考案に係る第３実施形態の表示用プレートの斜視図である。
【考案を実施するための形態】
【００１３】
以下の図面を参照して、本考案の実施形態に係る蓄光塗料を用いた表示用プレートを説明し、本考案の理解に供する。しかし、以下の説明は本考案の実用新案登録請求の範囲に記載の考案を限定するものではない。
【００１４】
先ず図１〜図３を参照して、本考案の第１実施形態に係る蓄光塗料を用いた表示用プレートを説明する。
表示用プレート１０は、透明板１１を用い、該透明板１１の裏表面１１ｂに蓄光塗料１２を塗装して、蓄光塗料層を形成している。一方、透明板１１の表表面１１ａには表示物１３を施している。
【００１５】
前記透明板１１は、プラスチック製若しくはガラス製のものを用いる。この透明板１１の表表面１１ａは、表示物１３を施し易くするため、鏡面乃至平滑面に仕上げておくのが好ましい。透明板１１の形状、厚みは特に限定されない。
【００１６】
前記蓄光塗料１２の透明板１１の裏表面１１ｂへの塗装は、裏表面１１ｂの全面に対して行う。しかし、必ずしも全面でなくてもよい。蓄光塗料１２の塗装範囲は、透明板１１の前側（表側）から表示物を見たときに、少なくとも表示物１３の全体が蓄光塗料１２の塗装範囲の中に見えるような範囲とする。蓄光塗料１２の塗装は、所定の外形模様になるように行うことができる。この場合は、夜間等において蓄光塗料１２の塗装面、即ち光放出面自体を発光模様として表現することができる。そしてその発光模様の中に表示物１３を黒抜表示、即ち黒抜模様として表現することができる。
蓄光塗料１２は、蓄光材料に光透過性の副資材を混ぜて塗料としている。これによって蓄光塗料１２が光透過性の蓄光塗料となり、昼間等において光が蓄光塗料の内部へ進入し易くなる。即ち、蓄光塗料１２内の蓄光材料への蓄光効率を上げることができるので、夜間等における発光度及び発光時間を向上させることができる。
【００１７】
蓄光塗料１２の背面には遮光性塗料１４を塗って塗装することができる。即ち、透明板１１の裏表面１１ｂには蓄光塗料１２を塗ったあと、その上（背面）から遮光性塗料を塗る。これにより透明板１１の背面側が確実に遮光され、表示物１３が見易くなる。
【００１８】
前記表示物１３は、文字、記号、図形、それらの組み合わせとすることができる。勿論、その他の手段により表示した物を含む。
前記表示物１３は、これを予め紙やその他のシート、フィルムに印刷し、或いは描いたものを用いて、透明板１１の表表面１１ａに貼り付けることができる。
また表示物１３は透明板１１の表表面１１ａに直接印刷することができる。
また表示物１３は透明板１１の表表面１１ａに直接描くことができる。
【００１９】
図３を参照して、表示物１３を透明板１１の表表面１１ａに貼り付ける場合の典型例を示す。
（Ａ）紙、シートフィルム等からなる印刷用紙１５に所定の表示物１３を印刷する。図３では、表示物１３として矢印を印刷している。
前記印刷用紙１５は、その裏面に接着剤が予め塗られており、更にその上（背後）に剥離紙１６が積層されている。
（Ｂ）前記矢印の表示物１３が印刷された印刷用紙１５を、表示物１３のみを残して、余白１５ａを切り取る。即ち、矢印の表示物１３を余白１５ａなしの状態にする。
（Ｃ）切り取った表示物１３から剥離紙１６を捲り取り、透明板１１の表表面１１ａに貼り付ける。
これによって、透明板１１の表表面１１ａへの表示物１３の貼り付けが完了する。
【００２０】
表示物１３の透明板１１の表表面１１ａへの貼り付け、印刷、描写においては、表示物１３そのものを、余白なしで、貼り付け、印刷し、描くことが重要である。
余白なしの表示物１３とすることで、昼間等の周囲が明るい条件下で表示用プレート１０を見たときの表示と、夜間等の周囲が暗い条件下で表示用プレート１０を見たときの表示とを同じにすることができる。もし表示物１３に表示以外の余白がある場合には、夜間等での表示が昼間等の表示と異なることになる。
【００２１】
図４、図５を参照して、本考案の第２実施形態に係る蓄光塗料を用いた表示用プレートを説明する。
第２実施形態に係る蓄光塗料を用いた表示用プレート２０においても、第１実施形態の場合と同様に、透明板２１、蓄光塗料２２、表示物２３、遮光性塗料２４とによって構成している。
但し、文字、図形、記号等の表示物２３は、透明板２１のうち表表面２１ａに施す代りに、透明板２１の裏表面２１ｂに、蓄光塗料２２による塗装に先立って、貼り付けるか、印刷するか、描くかする構成としている。
透明板２１、蓄光塗料２２、遮光性塗料２４の構成は、それぞれ既述した第１実施形態の透明板１１、蓄光塗料１２、遮光性塗料１４の構成と同じである。
前記透明板２１の裏表面２１ｂへの表示物２３の貼り付け、印刷、描写は、透明板２１の前側（表側）から見たときに文字、図形、記号等が左右反転して見えることなく、正常に見えるようにする必要がある。このため、予め左右反転した文字、図形、記号等を透明板２１の裏表面２１ｂに対して貼り付け、又は印刷し、又は描くことになる。
第２実施形態の表示用プレート２０の場合、表示物２３は透明板２１の表表面２１ａに施されることがないので、汚れたり、磨耗したり、傷付いたりするようなことを防止できる。また表示物２３の背面が蓄光塗料２２で被覆されているので、剥がれたり、損傷したりすることが防止される。
表示物２３には余白を設けない構成とすることも、上述の第１実施形態の場合と同様である。
【００２２】
図６を参照して、本考案の第３実施形態に係る蓄光塗料を用いた表示用プレートを説明する。
第３実施形態に係る蓄光塗料を用いた表示用プレート３０においても、第１実施形態の場合と同様に、透明板３１、蓄光塗料３２、遮光性塗料３４とによって構成している点は同じである。
但し、文字、図形、記号等の表示物は施すことなく、代りに表示物を施すための表示スペース３５を透明板３１の表表面３１ａに確保した状態に構成している。
このように、表示スペース３５を表表面３１ａに確保することで、この表示用プレート３０を購入した者は、自己が必要とする文字、図形、記号等の表示物を自由に構成して、表表面３１ａの表示スペース３５に貼り付けるか、又は印刷するか、又は描くことができる。
透明板３１、蓄光塗料３２、遮光性塗料３４の構成は、それぞれ既述した第１実施形態の透明板１１、蓄光塗料１２、遮光性塗料１４の構成と同じである。
【産業上の利用可能性】
【００２３】
本考案の蓄光塗料を用いた表示用プレートは、種々の案内プレート、お知らせプレート、注意プレート、その他の表示用プレートとして、産業上の利用可能性が大きい。
【符号の説明】
【００２４】
１０、２０、３０          表示用プレート
１１、２１、３１          透明板
１１ａ、２１ａ、３１ａ    表表面
１１ｂ、２１ｂ、３１ｂ    裏表面
１２、２２、３２          蓄光塗料
１３、２３                表示物
１４、２４、３４          遮光性塗料
１５                      印刷用紙
１５ａ                    余白
１６                      剥離紙
３５                      表示スペース
【図１】
0003190607.tif 000003
【図２】
0003190607.tif 000004
【図３】
0003190607.tif 000005
【図４】
0003190607.tif 000006
【図５】
0003190607.tif 000007
【図６】
0003190607.tif 000008